(57)【要約】【課題】小型を維持しながら、ストッパーの位置ずれがなく、かつストッパーの強度を大きくできるスイッチ装置を提供すること。【解決手段】プリント基板８に面実装され、回転及び押込み操作される操作体２２を有するスイッチ本体１４と、スイッチ本体１４の操作体２２に取り付けられたサイドスイッチ用ノブ９と、スイッチ本体１４内に収納された操作体２２の中点復帰機構と、プリント基板８に面実装され、サイドスイッチ用ノブ９の回転あるいは押込み操作によって作動されるストッパー１５とを備えた。【選択図】      図１
2004342496.tif 000002
【特許請求の範囲】
【請求項１】
プリント基板に面実装され、回転操作される操作部を有するスイッチ本体と、
前記スイッチ本体の操作部に取り付けられた揺動つまみと、
前記スイッチ本体内に収納された前記操作部の中点復帰機構と、
前記プリント基板に面実装され、前記揺動つまみの回転操作によって作動されるストッパーとを備えたことを特徴とするスイッチ装置。
【請求項２】
請求項１の記載において、前記ストッパーにクリック感付与機構を備えたことを特徴とするスイッチ装置。
【請求項３】
請求項２の記載において、前記ストッパーにスイッチ機構を備えたことを特徴とするスイッチ装置。
【請求項４】
請求項３の記載において、前記スイッチ本体のスイッチ機構を１段目とし、前記ストッパーのスイッチ機構を２段目として、２段スイッチ機構を構成したことを特徴とするスイッチ装置。
【発明の詳細な説明】
【０００１】
【発明の属する技術分野】
本発明は、メニュー選択リモコン等に使用され、回転操作を行なえるスイッチ装置に関する。
【０００２】
【従来の技術】
図１１は従来のスイッチ装置を示す説明図である。
【０００３】
図１１に示すように、プリント基板８０の端面に揺動つまみ８１が位置するシーソースイッチ８２が備えられている。このシーソースイッチ８２には、その中につまみ８１の中点復帰機構、つまみ８１のシーソー操作の両終点でオンする２つのスイッチ機構、オン時にクリック感を付与すると共に揺動つまみ８１の所定範囲以上の移動を規制するストッパーを兼ねるクリック感付与機構が内蔵されている。８３はケースである。このシーソースイッチ８２はその端子をプリント基板８０の孔に挿入して取り付けられている。
【０００４】
【発明が解決しようとする課題】
しかしながら、従来技術では、シーソースイッチ８２の揺動つまみ８１が回転できるようにシーソースイッチ８２の筐体に開口が形成されているが、この開口の両端面に摺動つまみ８１の操作部８１ａが突き当たることによってストッパーとなっている。したがって、揺動つまみ８１の大きさに比較してシーソースイッチ８２本体が小さく、ストッパーとなる開口の両端面は十分な強度を得られず、クリック感付与機構も小さくならざるを得ないので、大きなクリック感、及び又はストッパー強度を得ることができなかった。
【０００５】
また、ケース８３にボスを設けてストッパーとすることが考えられるが、形成誤差や組立誤差が集積してストッパー位置の誤差が大きくなったりバラツキが生じてしまう虞があった。
【０００６】
本発明は、このような従来技術の実情に鑑みてなされたもので、その目的は、小型を維持しながら、ストッパーの位置ずれがなく、かつストッパーの強度を大きくできるスイッチ装置を提供することにある。
【０００７】
【課題を解決するための手段】
上記の目的を達成するために、本発明によるスイッチ装置では、プリント基板に面実装され、回転操作される操作部を有するスイッチ本体と、前記スイッチ本体の操作部に取り付けられた揺動つまみと、前記スイッチ本体内に収納された前記操作部の中点復帰機構と、前記プリント基板に面実装され、前記揺動つまみの回転操作によって作動されるストッパーとを備えた構成とした。
【０００８】
このように構成すると、ストッパーをスイッチ本体とは別体にしているので、ストッパー強度を大きくでき、また、スイッチ本体、ストッパーとも小型で済む。かつスイッチ本体、ストッパーを面実装でプリント基板に取り付けられるので、実装が簡単で、固定のためにケースなど他部材を必要としない。
【０００９】
上記の構成において、前記ストッパーにクリック感付与機構を備えることが好ましい。
【００１０】
また、上記の構成において、前記ストッパーにスイッチ機構を備えることが好ましい。
【００１１】
また、上記の構成において、前記スイッチ本体のスイッチ機構を１段目とし、前記ストッパーのスイッチ機構を２段目として、２段スイッチ機構を構成することが好ましい。
【００１２】
【発明の実施の形態】
発明の実施の形態について図面を参照して説明すると、図１は本発明の実施形態例に係るスイッチ装置の説明図、図２は該スイッチ装置の分解斜視図、図３はスイッチ体の透視図、図４は該スイッチ体を回転操作した状態を示す透視図、図５は該スイッチ体を押込操作した状態を示す透視図、図６は該スイッチ体の分解斜視図、図７は該スイッチ体の組立斜視図、図８は該スイッチ体に備えられるウエハの平面図、図９は押釦スイツチの一実施例を示す分解斜視図、図１０は図９の押釦スイツチを組み立てた状態を示す要部断面図である。
【００１３】
このスイッチ装置は図２に示すようなメニュー選択リモコンに組み込まれており、このメニュー選択リモコンは、方向キー１、２、３、４及び確定キー５を収納する収納部６ａを有する上ケース６と、前記各キー１〜５に対応する位置に中空部分を有する中空凸部からなるクリックゴム接点７ａを成形したゴムラバー７と、ゴムラバー７を取付け、各クリックゴム接点７ａに対応する固定接点（図示せず）を形成したプリント基板８と、プリント基板８の裏面側に面実装され後述するスイッチ装置のサイドスイッチ用ノブ９と、ゴムラバー７及びプリント基板８を上ケース６とで挟み込む下ケース１０と、下ケース１０の電池収納部１０ａに取り付けられる電池ターミナル１１と、下ケース１０の外面からプリント基板８、ゴムラバー７を通って上ケースに６にねじ込まれて上ケース６と下ケース１０を一体化するネジ１２と、下ケース１０の電池収納部１０ａに嵌め込まれる電池蓋１３とを備えている。
【００１４】
更に、プリント基板８の裏面側には、図１に示すように、スイッチ装置が面実装されている。このスイッチ装置は、プリント基板８に面実装されたスイッチ本体１４と、スイッチ本体１４に取り付けられた揺動つまみであるサイドスイッチ用ノブ９と、スイッチ本体１４に収納された中点復帰機構と、プリント基板８に面実装されたストッパー１５とを備えている。
【００１５】
ここで、スイッチ本体１４を図３〜図８を参照して説明する。
【００１６】
本スイッチ本体１４は、図６に示すように、上部開口２１ａを有する合成樹脂製のウエハ２１と、このウエハ２１に回転可能かつ押込可能に保持された操作体２２と、この操作体２２の下面に固定された導電性弾性板からなる摺動子２３と、中央の巻回部２４ａの両端から一対の腕部２４ｂ，２４ｃが突出する捩じりコイルばね２４と、ウエハ２１の上部開口２１ａを覆うふた部材２６とから主として構成されている。
【００１７】
図８に示すように、前記ウエハ２１は略四角形でその一辺部分を円形とした内底部２７とこの内底部２７の周囲に全周にわたって立設された壁部２８とを備えており、壁部２８には一対の係合段部２８ａ，２８ｂが形成されている。内底部２７の中央には操作体２２を軸支する支軸２９が立設されており、支軸２９の押込方向の手前側（図８の上側）には、この押込方向に対して垂直な平面２９ａが形成されている。また、内底部２７には、操作体２２の回転方向に沿って形成された回転検出用の固定接点３０，３１と、これら固定接点３０，３１に対して押込方向の奥行き側（図８の下側）に位置する押込検出用の複数の固定接点３２，３２及び押込検出用のコモン用の固定接点３３Ｂと、固定接点３０，３１間に、操作体２２の回転方向に沿って形成されたコモン用の固定接点３３Ａとが一体成形されている。これら固定接点３０，３１，３２，３３Ａ，３３Ｂは、それぞれ外部端子３０ａ，３１ａ，３２ａ，３３Ａａ，３３Ｂａとしてウエハ２１の壁部２８から側方へ露出している。前記壁部２８の押込方向の手前側は支軸２９を中心にして円弧状に形成されており、この円弧状部分に段部３４が形成されている。この段部３４は操作体２２の回転範囲を規定するもので、段部３４の中央部分には凹部３５が形成されている。
【００１８】
前記操作体２２は左右対称形状に一体的に構成されており、図６に示すように、ウエハ２１内に配置される基部３７と、ウエハ２１から突出する操作部３８と、これら基部３７と操作部３８を連結する連結部３９とを有し、連結部３９はウエハ２１の段部３４に挿通されている。基部３７の中央上面に円筒状のボス４１が立設されており、また、基部３７の下面に形成された長孔（図示せず）は操作体２２の押込方向に延び、この長孔に前記支軸２９が位置嵌め込まれている。また、このボス４１の周囲に環状溝３７ａが形成されており、この環状溝３７ａからそれぞれ斜め上方向に向かって一対の係合溝４２，４３が形成されている。図３に示すように、前記捩じりコイルばね２４の巻回部２４ａはボス４１に巻掛けられて環状溝３７ａ内に位置しており、両腕部２４ｂ，２４ｃは係合溝４２，４３を通ってウエハ２１の係合段部２８ａ，２８ｂに係止されている。さらに、前記長孔の押込方向の手前側には、この長孔の長手方向に対して垂直な平面が形成されており、図３に示す操作体２２の非操作時や図４に示す回転操作時に、前記長孔の平面と支軸２９の平面２９ａとは離れた状態に保たれ、一方、図５に示す操作体２２の押込操作時に、該長孔の平面と支軸２９の平面２９ａとは当接する。
【００１９】
前記操作部３８は基部３７を中心として円弧状に形成されており、この操作部３８の中央の下面側には凹溝４４が形成されている。図４に示す操作体２２の回転操作時に、この凹溝４４はウエハ２１の段部３４のある壁部２８を跨ぎながら移動するが、図５に示す操作体２２のセンタ位置での押込操作時に、凹溝４４はウエハ２１の凹部３５内を移動して壁部２８内に位置するようになっている。
【００２０】
前記摺動子２３は、基部３７の下面に取付けられる一対の取付部４５，４６と、これら取付部４５，４６から延設された一対の摺接部４７，４７と、リンク状の摺接部４８とを有し、これらは一体的に左右対称形状に構成されている。各摺接部４７，４７の先端に下方に突出する可動接点４７ａ，４７ｂがそれぞれ形成されており、また、摺接部４８の中央に下方に突出する可動接点４８ａが形成されている。一方の可動接点４８ａは前記コモン用固定接点３３Ａと非操作時及び回転操作時接触している。
【００２１】
前記ふた部材２６には複数の係止部４９が形成されており、これら係止部４９をウエハ２１の壁部２８に沿って挿入し、その先端を二又に拡げてウエハ２１の側面に係止することにより、図７に示すように、ウエハ２１の上部開口２１ａがふた部材２６によって覆われている。
【００２２】
上記スイッチ体１４にあっては、図３に示す操作体２２の非操作時に、捩じりコイルばね２４の両腕部２４ｂ，２４ｃがウエハ２１の係合段部２８ａ，２８ｂにそれぞれ係止され、巻回部２４ａが操作体２２のボス４１に巻掛けられているため、操作体２２に対して捩じりコイルばね２４からセンタ位置への復帰力が付与されている（中点復帰機構）。このとき、操作体２２の凹溝４４はウエハ２１の凹部３５と対向しているとともに、操作体２２の前記長孔（図示せず）の平面と支軸２９の平面２９ａとは離れている。また、摺動子２３の可動接点４８ａはコモン用の固定接点３３Ａに接触しているが、他の可動接点４７ａ，４７ｂは他の固定接点３０〜３２のいずれにも接触していないため、ロータリスイッチとプッシュスイッチは共にオフ状態となっている。
【００２３】
この状態で操作体２２の操作部３８を反時計方向に回転操作すると、図４に示すように、操作体２２に連動して摺動子２３も支軸２９を中心にして回転し、摺動子２３の可動接点４７ａが回転検出用の一方の固定接点３０に接触するため、外部端子３０ａとコモン用外部端子３３Ａａとが導通し、ロータリスイッチのみがオン状態となって第１の電気信号が出力される。このとき、捩じりコイルばね２４の一方の腕部２４ｂはウエハ２１の係合段部２８ａに係止されているが、他の腕部２４ｃは操作体２２の係合溝４３の端部により回転方向に押圧されて係合段部２８ｂから離れるため、これら腕部２４ｂ，２４ｃが閉じる方向に圧縮されることにより、操作体２２に対してセンタ位置への復帰力が付与される。また、操作部３８を手放すと、操作体２２は捩じりコイルばね２４の付勢力で時計方向に回転して図３に示すセンタ位置まで自動的に戻り、可動接点４７ａが回転検出用の固定接点３０から離れるため、ロータリスイッチは再びオフ状態となる。なお、操作体２２の回転操作中に、凹溝４４は凹部３５から離れて段部３４を跨いで移動するため、操作体２２の回転操作時に誤って押込方向の力が作用しても、凹溝４４の内側面が段部３４の外側面に当接して操作体２２を押込むことができないため、操作体２２の誤操作を防止できる。
【００２４】
同様に、操作体２２を時計方向に回転操作した場合も、摺動子２３の可動接点４８ａがコモン用固定接点３３Ａに常時接触するとともに、他の可動接点４７ｂが回転検出用の他方の固定接点３１に接触するため、外部端子３１ａとコモン用外部端子３３Ａａとが導通し、ロータリスイッチのみがオン状態となって第１の電気信号が出力される。
【００２５】
また、図３に示す操作体２２の非操作状態から操作部３８をウエハ２１の方向へ押込むと、図５に示すように、操作体２２および摺動子２３が下方向へ一体的に移動する。これに伴って、摺動子２３の可動接点４７ａ，４７ｂ，４８ａが押込検出用の固定接点３２，３２，３３Ｂに接触するため、外部端子３２ａとコモン用外部端子３３Ｂａとが導通し、プッシュスイッチのみがオン状態となって第２の電気信号が出力される。このとき、前記捩じりコイルばね２４の両腕部２４ｂ，２４ｃはウエハ２１の係合段部２８ａ，２８ｂに係止されているが、巻回部２４ａが操作体２２のボス４１によって押込方向に移動するため、これら腕部２４ｂ，２４ｃが閉じる方向に圧縮されることにより、操作体２２に対してセンタ位置への復帰力が付与される。また、操作部３８を手放すと、操作体２２は捩じりコイルばね２４の付勢力で上昇して図３に示すセンタ位置まで自動的に戻り、可動接点４７ａ，４７ｂ，４８ａが押込検出用の固定接点３２，３２，３３Ｂから離れ、プッシュスイッチは再びオフ状態となる。なお、操作体２２の押込操作中に、凹溝４４は凹部３５を通って壁部２８の内部へ移動するため、操作体２２の押込操作時に誤って回転方向の力が作用しても、連結部３９が凹部３５と段部３４との境目の側端面に当接して操作体２２を回転することができないため、この場合も操作体２２の誤操作を防止できる。
【００２６】
次に、ストッパー１５である押釦スイツチについて図９及び図１０に基づいて説明する。
【００２７】
図９に示す押釦スイツチは、開口５０を有するハウジング５１と、該開口５０の内底部に設けられた固定接点５２、５３と、該固定接点５２、５３上に配置された可動接点５４と、この可動接点５４上に設けられ、ポリアミド等からなる防塵用シート５５と、該シート５５を介して可動接点５４を作動させる操作部材５６と、前記ハウジング５０の上部に取付けられ、前記開口を覆うふた体５７とから構成されている。
【００２８】
上述した固定接点５２、５３は、インサート成形によりハウジング５１と一体的に形成され、該固定接点５２、５３からそれぞれ導出された外部端子５２ａ、５３ａがハウジング５１の外壁に設けられている。また。ハウジング５１は、四隅よりそれぞれ上方へ突出する４個の突起６０と、これらの突起６０の近傍にそれぞれ設けられ、操作部材５６を案内する案内部６１と、一方の側端より上方へ突出する壁部６２と、他方の側端より外方へ突出するブロック部６３と、該他方の側端の突起６０よりそれぞれ外方へ突出し、ふた体５７を係止する係止部６４、６５とを備えている。
【００２９】
上述した可動接点５４は、弾性を有する薄肉金属板からなり、ハウジング５１の開口５０内に配置される。この可動接点５４は、操作部材５６の移動方向と平行な２本の切欠き６６を有し、周辺部６７が固定接点５２と常時接触するとともに、中央部６８が上方へ湾曲した状態で他の固定接点５３上に位置する。上述した防塵用シート５５は、周囲がハウジング５１の上面５１ａに載置され、このシート５５上に操作部材５６が載置される。
【００３０】
上述したふた体５７は、四隅に設けられ、前記突起６０とそれぞれ係合する切り欠き７０と、側端より下方に突出し、ハウジング５１の上面５１ａおよび案内部６１の上端に当接する壁部７１と、他の側端から下方へ突出し、前記係止部６４、６５にそれぞれ係合する一対の腕部７２を備えている。また、該ふた体５７は、中央部よりハウジング５１内側に切り起こされ、可動接点５４の中央部６８と対向する傾斜片７３を備える。この傾斜片７３を形成するには、図示を省略したが操作部材５６の移動方向と平行な一対の切り欠きを設け、この切り欠き間の長方形部分の壁部６２側の端部を切り落して、下方にＶ字状に折り曲げるようになっている。
【００３１】
上述した操作部材５６は、例えばカーボンファイバ入りの合成樹脂から一体に成型される。この操作部材５６は、傾斜片７３および可動接点５４の中央部６８間に介設された作動部７４と、この作動部７４の側方に設けられ、前記案内部６１上を摺動するコの字状のガイド部７５と、ハウジング５１の側部より外方へ突出する押圧部７６とからなる。前記作動部７４は、薄肉部７４ａを介して押圧部７６に連結され、弾性を有している。前記ガイド部７５の上面には、操作部材５６の移動方向とそれぞれ平行で、ふた体５７の裏面を摺動する一対のガイド用突起７７が設けられ、同様にガイド部７５の下面にも、図１０に示すように、該操作部材５６の移動方向とそれぞれ平行な一対のガイド用突起７８が設けられる。また、作動部７４およびガイド部７５によって形成される開口７９には、傾斜片７３が係合する。
【００３２】
このように構成された押釦スイツチは、操作部材５６の押圧部７６を図１０の左方向へブロック部６３に当接するまで押圧するとき、ふた体５７よりハウジング５１内側に切り起こされた傾斜片７３上を操作部材５６の作動部７４が摺動することにより案内され、これに伴い、該作動部７４が薄肉部７４ａで弾性変形しながら図１０の反時計方向へ回動するので、この作動部７４の先端がシート５５を介して可動接点５４の中央部６８を押圧する。これによって、該中央部６８は下方へ反転して固定接点５３と接触してスイッチ・オンの状態となる。この中央部６８が反転する時、クリック感を生じる。次いで、前記押圧部７６の押圧状態を解除すると、薄肉部７４ａ自体の弾発力により作動部７４が図１０の時計方向に回動しながら傾斜片７３上を摺動することにより、操作部材５６が図１０の右方向へスライドして初期状態に復帰する。また、作動部７４の回動に伴い、可動接点５４の中央部６８も弾発力により上方へ反転して固定接点５３より離隔し、スイッチ・オフとなる。
【００３３】
ここで、本発明のスイッチ装置の構成について図１を用いて詳細に説明する。
【００３４】
図１に示すように、プリント基板８の裏面側には、スイッチ本体１４が面実装されており、スイッチ本体１４の各外部端子３０ａ，３１ａ，３２ａ，３３Ａａ，３３Ｂａがプリント基板８の回路パターンに半田付けされて接続されている。スイッチ本体１４の操作体２２の操作部３８にはサイドスイッチ用ノブ９がスナップ止め、ねじ止め等により固定されている。このサイドスイッチ用ノブ９は、操作部３８を嵌入して固定する凹部９ａと、操作用の突起部９ｂと、両側から湾曲して操作部２２の回転方向に延設された腕部９ｃ，９ｄと、各腕部９ｃ，９ｄの先端に形成された押圧部９ｅ，９ｆとから構成されている。各腕部９ｃ，９ｄの押圧部９ｅ，９ｆの下方にはストッパー１５，１５がそれぞれプリント基板８に面実装されている。そして、サイドスイッチ用ノブ９（スイッチ本体１４の操作部２２）を左もしくは右に回転させると、腕部９ｃの押圧部９ｅが左のストッパー１５の操作部材５６を押し下げ、もしくは腕部９ｄの押圧部９ｆが右のストッパー１５の操作部材５６を押し下げる。また、サイドスイッチ用ノブ９（スイッチ本体１４の操作部２２）の中立位置から押込み操作すると、両腕部９ｃ，９ｄが下降して両押圧部９ｅ，９ｆにより左右のストッパー１５，１５の操作部材５６，５６を同時に押し下げる。そして両ストッパー１５，１５の操作部材５６によりスイッチ本体１４の操作部２２の回転範囲が規制されるので、ストッパー強度を大きくできる。また、スイッチ本体１４、ストッパー１５とも小型で済む。かつスイッチ本体１４、ストッパー１５が面実装でプリント基板８に取り付けられるので、実装が簡単、ケースなど固定に他部材を必要としない。
【００３５】
次に、スイッチ装置の動作について説明する。なお、この例では２段スイッチでクリック感を生じるタイプで説明する。
【００３６】
図１は非操作状態であり、スイッチ本体１４は図３の状態である。この図１及び図３に示す非操作状態から、サイドスイッチ用ノブ９（スイッチ本体１４の操作部２２）を反時計方向に回転操作すると、操作体２２に連動して摺動子２３も支軸２９を中心にして回転し、摺動子２３の可動接点４７ａが回転検出用の一方の固定接点３０に接触するため、外部端子３０ａとコモン用外部端子３３Ａａとが導通し、ロータリスイッチのみがオン状態（１段目）となって第１の電気信号が出力される。また、このサイドスイッチ用ノブ９の反時計方向への回転操作によって、腕部９ｃの押圧部９ｅが左のストッパー１５の操作部材５６を押し下げる。そして、ある角度以上、サイドスイッチ用ノブ９が回転すると、前記第１の電気信号は解除（無効）されるように制御している。そして、さらにサイドスイッチ用ノブ９の反時計方向への回転操作されて操作部材５６の押圧部７６を図１０の左方向へブロック部６３に当接するまで押圧すると、傾斜片７３上を操作部材５６の作動部７４が摺動することにより案内され、これに伴い、該作動部７４が薄肉部７４ａで弾性変形しながら図１０の反時計方向へ回動するので、この作動部７４の先端がシート５５を介して可動接点５４の中央部６８を押圧する。これによって、該中央部６８は下方へ反転して固定接点５３と接触して２段目のスイッチ・オンの状態となり、また、この反転によりクリック感を生じる。そして、押圧部７６がブロック部６３に当接してサイドスイッチ用ノブ９のそれ以上の回動が規制される。
【００３７】
一方、回転操作をやめると、前述したようにストッパー１５の操作部材５６は薄肉部７４ａ自体の弾発力により作動部７４が図１０の時計方向に回動しながら傾斜片７３上を摺動することにより、操作部材５６が図１０の右方向へスライドして初期状態に復帰し、２段目スイッチはオフ状態となる。また、同時に、操作体２２は捩じりコイルばね２４の付勢力で時計方向に回転して図３に示すセンタ位置まで自動的に戻り、可動接点４７ａが回転検出用の固定接点３０から離れるため、ロータリスイッチは再びオフ状態となる。
【００３８】
同様に、サイドスイッチ用ノブ９を時計方向に回転操作した場合も、摺動子２３の可動接点４８ａがコモン用固定接点３３Ａに常時接触するとともに、他の可動接点４７ｂが回転検出用の他方の固定接点３１に接触するため、外部端子３１ａとコモン用外部端子３３Ａａとが導通し、ロータリスイッチのみがオン状態（１段目）となって第１の電気信号が出力される。また、サイドスイッチ用ノブ９の腕部９ｄの押圧部９ｆが右のストッパー１５の操作部材５６を押し下げる。そして、ある角度以上、サイドスイッチ用ノブ９が回転すると、前記第１の電気信号は解除される。そして、さらにサイドスイッチ用ノブ９の時計方向への回転操作されて操作部材５６の押圧部７６を図１０の左方向へブロック部６３に当接するまで押圧すると、傾斜片７３上を操作部材５６の作動部７４が摺動することにより案内され、これに伴い、該作動部７４が薄肉部７４ａで弾性変形しながら図１０の反時計方向へ回動するので、この作動部７４の先端がシート５５を介して可動接点５４の中央部６８を押圧する。これによって、該中央部６８は下方へ反転して固定接点５３と接触して２段目のスイッチ・オンの状態となり、またこの反転によりクリック感を生じる。そして、押圧部７６がブロック部６３に当接して、サイドスイッチ用ノブ９のそれ以上の回動が規制される。
【００３９】
また、図１に示すサイドスイッチ用ノブ９（操作体２２）の非操作状態から操作部３８を押込むと、図５に示すように、操作体２２および摺動子２３が下方向へ一体的に移動する。これに伴って、摺動子２３の可動接点４７ａ，４７ｂ，４８ａが押込検出用の固定接点３２，３２，３３Ｂに接触するため、外部端子３２ａとコモン用外部端子３３Ｂａとが導通し、プッシュスイッチのみがオン状態となって第２の電気信号が出力される。このとき、前記捩じりコイルばね２４の両腕部２４ｂ，２４ｃはウエハ２１の係合段部２８ａ，２８ｂに係止されているが、巻回部２４ａが操作体２２のボス４１によって押込方向に移動するため、これら腕部２４ｂ，２４ｃが閉じる方向に圧縮されることにより、操作体２２に対してセンタ位置への復帰力が付与される。また、このサイドスイッチ用ノブ９（操作体２２）の非操作状態からの押込みにより、両腕部９ｃ，９ｄが下降して両押圧部９ｅ，９ｆにより左右のストッパー１５，１５の操作部材５６をそれぞれ押し下げる。そして、両操作部材５６の押圧部７６を図１０の左方向へブロック部６３に当接するまで押圧すると、傾斜片７３上を操作部材５６の作動部７４が摺動することにより案内され、これに伴い、該作動部７４が薄肉部７４ａで弾性変形しながら図１０の反時計方向へ回動するので、この作動部７４の先端がシート５５を介して可動接点５４の中央部６８を押圧する。これによって、該中央部６８は下方へ反転してクリック感を生じる。なお、この押込み操作の時は、スイッチ体１４のプッシュスイッチのみ有効としてあり、ストッパー１５のスイッチは有効となっていないが、クリック感を生じるタイミングをスイッチ本体１４のプッシュスイッチのオンタイミング合わせるようにしてある。
【００４０】
また、サイドスイッチ用ノブ９を手放すと、上述したように両ストッパー１５の操作部材５６は非操作状態に復帰し、またスイッチ体１４の操作体２２は捩じりコイルばね２４の付勢力で上昇して図３に示すセンタ位置まで自動的に戻り、可動接点４７ａ，４７ｂ，４８ａが押込検出用の固定接点３２，３２，３３Ｂから離れ、プッシュスイッチは再びオフ状態となる。
【００４１】
なお、サイドスイッチ用ノブ９の押込み操作時に、スイッチを１段として説明したが、回転操作時と同様に２段スイッチとしても勿論よい。あるいは、スイッチ本体１４はプッシュスイッチのみで、ロータリースイッチはストッパー１５のみとしてもよい。
【００４２】
このように構成したことにより、ストッパー１５をスイッチ本体１４とは別体にしているので、ストッパー強度を大きくでき、スイッチ体１４に比べて大きなサイドスイッチ用ノブ９を使用してもスイッチ本体１４が破損しにくくなる。また、スイッチ装置を構成するスイッチ本体１４、ストッパー１５とも小型で済む。かつスイッチ本体１４、ストッパー１５を面実装でプリント基板８に取り付けられるので、実装が簡単で、固定のためにケースなど他部材を必要としない。また、ストッパー１５のスイッチ本体１５に対するプリント基板８への面実装による取付位置を容易に変更できるので、サイドスイッチ用ノブ９（スイッチ本体１４の操作部２２）を回転操作時におけるストッパー１５のスイッチオンのタイミングを適宜変更できる。
【００４３】
また、クリック感付与機構を備えたストッパー１５をスイッチ本体１４と別体にしているので、クリック感を強くできる。また、クリック感をスイッチのオンタイミングに合わせることにより、スイッチがオンしたことがわかるので、操作性が向上する。
【００４４】
【発明の効果】
本発明は、以上説明したような形態で実施され、以下に記載されるような効果を奏する。
【００４５】
ストッパーをスイッチ本体とは別体にしているので、ストッパー強度を大きくでき、また、スイッチ本体、ストッパーとも小型で済む。かつスイッチ本体、ストッパーを面実装でプリント基板に取り付けられるので、実装が簡単で、固定のためにケースなど他部材を必要としない。
【図面の簡単な説明】
【図１】本発明の実施形態例に係るスイッチ装置の説明図である。
【図２】該スイッチ装置の分解斜視図である。
【図３】スイッチ体の透視図である。
【図４】該スイッチ体を回転操作した状態を示す透視図である。
【図５】該スイッチ体を押込操作した状態を示す透視図である。
【図６】該スイッチ体の分解斜視図である。
【図７】該スイッチ体の組立斜視図である。
【図８】該スイッチ体に備えられるウエハの平面図である。
【図９】押釦スイツチの一実施例を示す分解斜視図である。
【図１０】図９の押釦スイツチを組み立てた状態を示す要部断面図である。
【図１１】従来のスイッチ装置を示す説明図である。
【符号の説明】
８  プリント基板
９  サイドスイッチ用ノブ
１４  スイッチ本体
１５  ストッパー
２２  操作体
２４  捩じりコイルばね
５４  可動接点
【図１】
2004342496.tif 000003
【図２】
2004342496.tif 000004
【図３】
2004342496.tif 000005
【図４】
2004342496.tif 000006
【図５】
2004342496.tif 000007
【図６】
2004342496.tif 000008
【図７】
2004342496.tif 000009
【図８】
2004342496.tif 000010
【図９】
2004342496.tif 000011
【図１０】
2004342496.tif 000012
【図１１】
2004342496.tif 000013